(57)【要約】【課題】建築材の点数が少なくその管理が容易となり、施工現場でも簡単にしかも早く組立てられ、工期が短縮できると共に人件費を初めとする施工コストも大幅に削減できる組立ハウスを提供する。【解決手段】本発明の組立ハウスは、基礎Ｋの上面に置くだけで設置され上端面が開口する箱型のハウス本体Ｈ１と、前記ハウス本体Ｈ１の対向する両側壁材２ａ，２ｂの上端縁に下端縁が軸着され上下に自在に旋回し得る三角パネル５と、起立した前記各三角パネル５間に横架される梁材７と、一対の屋根パネル８，８をその上端縁で軸着して成形され前記ハウス本体Ｈ１の上面に前記梁材７を跨ぐようにして載置固定される屋根材Ｒとからなる。【選択図】図３
2005273341.tif 000002
【特許請求の範囲】
【請求項１】
基礎の上面に置くだけで設置され上端面が開口する箱型のハウス本体と、前記ハウス本体の対向する両側壁材の上端縁に下端縁が軸着され上下に自在に旋回し得る三角パネルと、起立した前記各三角パネル間に横架される梁材と、一対の屋根パネルをその上端縁で軸着して成形され前記ハウス本体の上面に前記梁材を跨ぐようにして載置固定される屋根材とからなることを特徴とする組立ハウス。
【発明の詳細な説明】
【技術分野】
【０００１】
本発明は、宿泊施設、介護施設、社員寮、レンタル施設、倉庫、店舗等の建物として利用され、施工現場では簡単に早く組立てることができるようにした組立ハウスに関するものである。
【背景技術】
【０００２】
例えば、この種組立ハウスには次のようなものがある。すなわち、組立ハウスを構成する下側の床パネル接合体、両側の壁付屋根ユニット、前後側の壁面材、上側の中間屋根面材といった建築材がそれぞれ予め製作される。そして、これらを施工現場に移送し、その現場で下側の床パネル接合体、両側の壁付屋根ユニットなどを接合して組立ハウスを組立てるようにしている（例えば、特許文献１参照。）。
【特許文献１】特開平６−１０１２７５号公報（第３頁、図１）
【発明の開示】
【発明が解決しようとする課題】
【０００３】
前記特許文献１のように、床パネル接合体、壁付屋根ユニット、壁面材、中間屋根面材といった建築材を予め製作しておくことは、それら建築材の点数が非常に多くなることから管理が難しい。また、施工現場では、多くの建築材を作業者が逐一接合しつつ組立てねばならないので、面倒な作業を強いられ時間も掛かる。特に、組立ハウスの施工個数が多いと、工期が長引くばかりか人件費を初め施工コストが高くなるという課題が有る。
【０００４】
そこで、本発明は建築材の点数が少なくその管理が容易であって、施工現場でも簡単に早く組み立てられ、工期が短縮できると共に人件費を初めとする施工コストも大幅に削減できる組立ハウスを提供することを目的とするものである。
【課題を解決するための手段】
【０００５】
かかる目的を達成するため本発明の組立ハウスは、基礎の上面に置くだけで設置され上端面が開口する箱型のハウス本体と、前記ハウス本体の対向する両側壁材の上端縁に下端縁が軸着され上下に自在に旋回し得る三角パネルと、起立した前記各三角パネル間に横架される梁材と、一対の屋根パネルをその上端縁で軸着して成形され前記ハウス本体の上面に前記梁材を跨ぐようにして載置固定される屋根材とからなる。
【０００６】
また、本発明では、工場でハウス本体を成形するに、その周側面について石板等の外装材や木板等の内装材、また床材については木板等の内装材まで張設し、更に、屋根材についてもステンレス板等の外装材や木板等の内装材までも張設するようにしており、これら外装材と内装材との間には断熱材を介装することが好ましい。このように、施工現場でしかできないことを残し、できるだけ工場で製作するようにしている。
【発明の効果】
【０００７】
本発明の組立ハウスは、主として上端面が開口する箱型のハウス本体とその上面に載置固定される屋根材とからなり、前記ハウス本体の対向する両側壁材の上端縁に上下に自在に旋回し得る三角パネルを軸着し、屋根材は一対の屋根パネルをその上端縁で軸着して成形されるので、建築材の点数を極端に少なくでき、それら建築材の管理が極めて容易に行える。また、施工現場では建築材の点数が少なくしかも三角パネルを引き起こすと共に屋根材を開いて載置するのみでほとんどの組立工事が済むことから、組立ハウスが簡単に早く組み立てられることになり、組立ハウスの施工個数が多くても工期が短縮でき人件費を初めとする施工コストも削減されるという極めて有益な効果がある。
【発明を実施するための最良の形態】
【０００８】
以下、本発明に係る組立ハウスの実施の形態を図面に基き詳細に説明する。本発明の組立ハウスは、ホテル等の宿泊施設、介護施設、社員寮、レンタル施設、倉庫、店舗等の建物に利用される。図１は組立手順を示す組立ハウスの斜視図、図２は屋根材の斜視図、図３は組立ハウスの完成斜視図をそれぞれ示す。
【０００９】
本発明に係る組立ハウスＨは工場で生産され、主として施工現場の地面Ｅにコンクリートにより平坦に成形された基礎Ｋの上面に置くだけで設置されるハウス本体Ｈ１と該ハウス本体Ｈ１の上面に載置固定される屋根材Ｒとからなる。
【００１０】
前記ハウス本体Ｈ１は、上端面が開口し箱型である直方体形状に成形されている。すなわち、Ｈ鋼を溶接して直方体形状に枠組みし、上端面を残して各面に床壁材１及び周側壁材２を成形するようにしている。また、ハウス本体Ｈ１は立方体形状であっても良い。周側壁材２の内、前側壁材２ａに入口が設けられると共に該入口にドアー３が回動自在に装着されている。また、一方の側壁材２ｃにガラス窓４が装着される。そして、対向する前側壁材２ａと後側壁材２ｂの上端縁にそれぞれ同じ形状の三角パネル５が軸着される。各三角パネル５は屋根材Ｒをハウス本体Ｈ１の上面に載置固定したとき、前後側壁材２ａ，２ｂの上端縁から上方に成形される隙間を塞ぐためのものである。
【００１１】
そこで、各三角パネル５は、それぞれ旋回してハウス本体Ｈ１の内側へ折り畳め、また、前後側壁材２ａ，２ｂの上端面に起立できるようになっている。各三角パネル５内面の中央上端部に受部材６が設けられ、各受部材６により起立した両三角パネル５，５間に横架される梁材７の両端部を支承するようにしている。支承された梁材７は各受部材６にボルト締めして固定される。
【００１２】
屋根材Ｒは、長方形状をなす一対の屋根パネル８，８の上端縁を軸着して成形され、該軸着部を中心として両屋根パネル８，８が自在に開閉できるようになっている。このため、各屋根パネル８，８の上端面は軸着部を起点とし屋根パネル８の内・外面に対し所定の角度で切除される。また、各屋根パネル８の両側縁にそれぞれ対応位置してその内外面と直交する半円弧状の凹部９，９が成形され、その一側の所定位置に上面が開口したピン孔１０が穿設されている。屋根材Ｒは、側壁材２ｃに沿って４個並ぶようにその大きさが選ばれる。なお、輸送条件など可能であれば、この屋根材Ｒを３個、２個更には１個にしても良い。
【００１３】
そして、各屋根材Ｒを順に梁材７を跨ぐようにして前記ハウス本体Ｈ１の上面に載置する。この際、屋根材Ｒの取付状態を安定させるため、両側壁材２ｃ，２ｃの上端面は全体が各屋根パネル８の内面に接するようにその傾斜角度と同じ傾斜角度になるように切除されている。また、その上端面に前記各凹部９に対向位置するボルト１１が突設される。各ボルト１１は側壁材２ｃの上端面から垂直に突出しており、配置され隣り合う各屋根材Ｒの対向する凹部９，９が前記ボルト１１を囲うようになる。この状態で、別途用意される接続具１２で隣り合う屋根パネル８同士が接続される。接続具１２は、中央に通孔１２ａが開設されると共に両端部に下方へ折り曲がる嵌合ピン１２ｂ，１２ｂを設けて成形される。そして、図４に示すようにボルト１１を通孔１２ａに挿通し、各嵌合ピン１２ｂを各ピン孔１０に嵌合した状態で前記ボルト１１に固定ナット１３を螺子締めして接続具１２を固定する。これにより、各屋根材Ｒがハウス本体Ｈ１に固定される。
【００１４】
隣り合う各屋根材Ｒの屋根パネル８，８間の隙間には雨水の浸入防止のためゴムパッキン（図示せず。）が介装される。更に、図４に示すように両屋根パネル８，８の上面には、その隙間に沿ってその上面を覆うように横断面門状の被覆部材１４がビス止めされる。また、前記各屋根材Ｒの頂部に沿って横断面山形の傘部材１４ａがビス止めして取付けられる。これら被覆部材１４や傘部材１４ａも隙間からの雨水の浸入を防止するためである。
【００１５】
このようにして図３に示すような組立ハウスＨが完成するが、前記作業は施工現場で行なわれる。この場合、建築材は主としてハウス本体Ｈと屋根材Ｒであり、その点数が極端に少ないことから、それら建築材の管理が容易に行える。また、ハウス本体Ｈ１の対向する前・後側壁材２ａ，２ｂの上端縁にそれぞれ上下に自在に旋回し得る三角パネル５が軸着され、屋根材Ｒは一対の屋根パネル８，８を軸着してなるので、これら三角パネル５や屋根材Ｒは旋回または回動するのみで設置できることになる。よって、施工現場では、組立ハウスＨが簡単にしかも早く組み立てられる。また、三角パネル５はハウス本体Ｈ１の内側へ折り畳み、屋根材Ｒは両屋根パネル８，８を折り畳んでおけば、全体の容積が小さくコンパクトになる。しかも、前記ハウス本体Ｈ１は、通常、トラックの荷台に載せられる程度の大きさを有し、各屋根材Ｒも折り畳めて簡単にトラックに載せられる大きさを有する。これにより、建築材の輸送も楽になる。また、組立ハウスＨが大きい場合は、ハウス本体Ｈ１を複数個組み合わせるようにする。ハウス本体Ｈ１はトラックに載る大きさであって、しかも組み合わされる複数のハウス本体Ｈ１がそれぞれに分解した状態で輸送される。
【００１６】
図５に示すように、前記床壁材１は、鉄骨製の方形枠体３２に外装材である鉄板１５を張設し、その上面に角材からなる内装下地材１６を等間隔に複数本敷設し、更に、その上面に内装材である床板１７を張設して成形される。前記鉄板１５と床板１７との間には断熱材１８が介装される。
【００１７】
前記各側壁材２ａ，２ｂ，２ｃは次のようにして成形される。すなわち、各鉄骨製の方形枠体の外側に所定の大きさからなる正面方形状の石板１９が上下・左右に複数枚列設される。各石板１９は、図６に示すように上・下端面の両側にそれぞれ一対の保持孔２０，２０が穿設されている。一方、一群の石板１９の内側には鉄板２１が張設され、その前面に前記各石板１９の上下両側の保持孔２０，２０に対応位置して複数の支持枠２２が突設されている。各支持枠２２は、前方へ突出する水平板部２２ａを有し、この水平板部２２ａに上下に移動しかつ前記各石板１９の各保持孔２０に挿通し得る支持ピン２３が螺装される。これにより、各石板１９が固定される。前記鉄板２１の内側には断熱材２４が張設され、また、その内側に角材からなる内装下地材２５が等間隔に複数本列設され、更に、その内側に内装材である木板２６が張設される。前記各石板１９間に漆喰を詰め込み、石板１９と鉄板２１との間にはモルタル１９ａを充填する。
【００１８】
前記屋根材Ｒの各屋根パネル８は、外装材であるステンレス板２７の内側に断熱材２８が張設され、その内側に内装材である木板２９が張設されている。なお、図示は省略するが、前記三角パネル５は、外装材である土壁の内側に断熱材を介して内装材である木板を張り合わせて成形される。これら組合せは、例示的に列挙したものであって、この組合せに限定されるものではない。例えば、前記屋根パネル８の外装材として銅板、同じく内装材として土壁またはモルタル壁を使用しても良く、組立ハウスＨは、木造または鉄筋コンクリート造りであっても良い。いずれにしても、これらハウス本体Ｈ１や屋根材Ｒは工場で内装材及び外装材まで張設して製作される。
【００１９】
本発明の組立ハウスＨは、図７、図８に示すようにハウス本体Ｈ１の四隅部の下面に下方へ突出する脚柱３０が設けられ、その下端に下側を向く半球体状の突子３１が設けられている。更に、詳しく説明すると、脚柱３０は側面Ｕ字状をなすと共にその上端部がハウス本体Ｈ１底面に設けられた方形枠体３２にボルト３３締めされる。また、脚柱３０の中間板部３０ａに螺子孔３４が開設され、該螺子孔３４に突子３１から上方へ延びる螺子軸３５が螺合している。中間板部３０ａの上下両面側から螺子軸３５に調整ナット３６が螺合され、これら調整ナット３６を緩めることにより組立ハウスＨの底面の高さが調節できるようになっている。すなわち、組立ハウスＨは各突子３１に支持され宙に浮いており、この突子３１を上下動させることにより組立ハウスＨの高さと水平度が調整できる。
【００２０】
前記各突子３１に対応位置してコンクリート製の基礎Ｋの上面に該突子３１を受け止める受枠体３７が配置固定される。受枠体３７は、鉄または鋳物により成形され、前記突子３１と合わせて耐震構造をなす。そして、図７、図８に示すように受枠体３７は、基礎Ｋに固定ボルト３８で固定される方形状の受板３９のほぼ中央部に開口４０が開設され、その下方に内周面４１ａが前記開口４０よりも内径の大きい凹弧面に成形される受皿部４１が受板３９と一体に成形されている。受皿部４１の内周面４１ａにおける中心位置に楕円状の水抜き孔４２が開設されている。この水抜き孔４２の長さ寸法は、突子３１の外径寸法よりも長く設定される。
【００２１】
そして、前記突子３１が開口４０を介して受皿部４１内に挿入され、受皿部４１の内周面４１ａ上に配置される。突子３１は外周面が球面であることから、内周面４１ａとの接触面積が小さく突子３１が自在に摺動できることになる。これによって、地震時における組立ハウスＨの揺れを防止することができる。前記開口４０は受皿部４１の内径よりも小さいことから、地震の揺れにより突子３１が受皿部４１から容易に抜け出ることがない。また、水抜き孔４２が楕円形状に成形されているのは、その中心に突子３１が位置しても、水抜き孔４２の両端部は突子３１よりも外側へ食み出て塞がれることがなく、受皿部４１内に入った雨水を確実に排出するためである。水抜き孔４２から排出された雨水は排出管４３を介して所定の位置に排出されるようになっている。水抜き孔４２は前記楕円形状に限らず、図示は省略するが、例えば受皿部４１の内周面４１ａにおける中心の周囲に２乃至３個の円孔を開設するようにしても良い。
【００２２】
前記受枠体３７では、受板３９の下面に受皿部４１を設けるようにしたが、受板３９の上面に隆起部を設け、その上面に開口４０を開設すると共に中に受皿部４１を設けるようにしても良い。また、前記コンクリート製の基礎Ｋは、平坦面に限らず通常成形される畝状の基礎であっても良い。
【００２３】
このようにして、石造り風のどっしりとした組立ハウスＨが組立てられる。最終的には、組立ハウスＨに水道や電気を引き込み、内部にトイレ、キッチン、洗面台、風呂等の生活に必要な設備が配置される。ハウス本体Ｈ１を工場で製作する際に、トイレ、キッチン等の設備をあらかじめ設置しておくようにしても良い。また、本発明の組立ハウスＨは、組立が簡単であると同時に分解も簡単であり、更に、基礎Ｋの上面に載っているにすぎないことから、例えば他の場所に移転する場合も、簡単に分解できてその作業も楽である。
【図面の簡単な説明】
【００２４】
【図１】組立手順を示す組立ハウスの斜視図。
【図２】屋根材の斜視図。
【図３】組立ハウスの完成斜視図。
【図４】屋根パネルの連結部を示す断面図。
【図５】組立ハウスの一部縦断側面図。
【図６】石板の接続部位の拡大断面図。
【図７】受皿部部位の拡大断面図。
【図８】図７のＸ−Ｘ線断面図。
【符号の説明】
【００２５】
２ａ      前側壁材
２ｂ      後側壁材
５        三角パネル
７        梁材
８        屋根パネル
Ｈ        組立ハウス
Ｈ１      ハウス本体
Ｋ        基礎
Ｒ        屋根材
【図１】
2005273341.tif 000003
【図２】
2005273341.tif 000004
【図３】
2005273341.tif 000005
【図４】
2005273341.tif 000006
【図５】
2005273341.tif 000007
【図６】
2005273341.tif 000008
【図７】
2005273341.tif 000009
【図８】
2005273341.tif 000010